(57)【要約】【課題】球を撞くキューの操作方法を練習するビリヤード用ストローク練習機を提供する。【解決手段】キューシャフトに代わるバー１２先端を非利き手１００でブリッジを作って補助台８０上に支えると共に、バー１２周囲に被嵌された筒状体２２を利き手１１０で掴んだ状態で、筒状体２２をバー１２周囲を前後に摺動させて、キューのストローク練習を行えるようにする。その際には、キューシャフトに代わるバー１２後端を、左右にぶれる等して動かぬように、継ぎ手４０を介して、支柱３０に支持させる。【選択図】図１
2006034646.tif 000002
【特許請求の範囲】
【請求項１】
キューシャフトに代わるバーと、キューグリップに代わる筒状体であって、前記バー周囲に前後方向に摺動自在に被嵌された筒状体と、前記バー後端を上下に移動可能に支持する支柱と、該支柱と前記バー後端とを互いに連結する継ぎ手であって、前記バーをバー後端又はバー後端近くを中心に上下方向及び左右方向に回動自在に支柱に支持する継ぎ手とからなることを特徴とするビリヤード用ストローク練習機。
【請求項２】
前記支柱が、建物の側壁に固定される構造のものであることを特徴とする請求項１記載のビリヤード用ストローク練習機。
【請求項３】
前記支柱が、床面上に置かれた脚立に支持される構造のものであることを特徴とする請求項１記載のビリヤード用ストローク練習機。
【請求項４】
前記バー後端を上下に移動可能に支持する支柱の任意の高さ位置にバー後端を解放可能に仮止めする仮止め手段が備えられたことを特徴とする請求項１、２又は３記載のビリヤード用ストローク練習機。
【請求項５】
前記バー先端をブリッジを作って支える非利き手を載せたり、バー先端を載せたりする補助台が備えられたことを特徴とする請求項１、２、３又は４記載のビリヤード用ストローク練習機。
【請求項６】
前記バー中途部に、バー周囲を摺動させる前記筒状体がバー先端に一定距離以上に近付くのを防ぐストッパが備えられたことを特徴とする請求項１、２、３、４又は５記載のビリヤード用ストローク練習機。
【発明の詳細な説明】
【技術分野】
【０００１】
本発明は、球を撞くキューの操作方法（ストローク）を訓練するための、ビリヤード用ストローク練習機に関する。
【背景技術】
【０００２】
ビリヤードにおいては、球を撞くキューの動きが、即ちキューのストローク動作が、球のスピードや回転、さらには球の進行方向までの全てを決定する。そのために、初心者は勿論、上級者においても、球を撞く際の、キューの正確な自己のフォームを、身につけることが、ビリヤード上達の最大キーポイントとなっている。具体的には、多くの人の場合に、上級者でも、テイクバックの姿勢（キューを後方に引き取る姿勢）を取る時には、キューを、真後ろではなくて、人体の構造上から、必然的に、利き腕の方にこじって、自己の体に近づけてしまい易い。そのために、キューを、自己の体に近づけた状態のまま、前方に撞き出してしまうことが多く、その結果、球をキュー先端で左右いずれかの方向にこじってしまう傾向が多々ある。従って、ビリヤードの上達を図るためには、キューのストロークのフォームを、頭ではなく、体で理解し、自己の筋肉に完全に覚え込ませることが肝要である。これが、いわゆるマッスルメモリー理論と一般に呼ばれている理論である。
【０００３】
このマッスルメモリー理論を、ビリヤードに応用するための装置として、本発明者らは、特開２００２−１２６１５８号公報に記載されたような、ビリヤード練習用キューを開発した。
【特許文献１】特開２００２−１２６１５８号公報
【発明の開示】
【発明が解決しようとする課題】
【０００４】
しかしながら、上記公報記載のビリヤード練習用キューは、キュー後端を支持する手段が存在しないために、キューの移動方向を、所望の方向に動かぬように安定させて定めることができなかった。そのために、キューを引き取ったり撞き出したりした際に、そのキューの移動方向が、一定の方向に定まらずに、左右にぶれる等してしまった。そして、前述のように、テイクバックの姿勢を、キューを、真後ろではなくて、利き腕の方にこじって自己の体に近付けた状態で引き取ったり、キューを自己の体に近付けたままの状態で前に撞き出したりする癖を、的確に修正できなかった。その結果、キューの正確な引き取り方向や撞き出し方向を、即ちキューのストロークの姿勢を、自己の筋肉に正確に覚え込ませることができなかった。換言すれば、上記公報記載のビリヤード練習用キューを用いては、前述のマッスルメモリー理論を、ビリヤードに的確に応用することができなかった。
【０００５】
本発明は、このような課題を解消可能な、前述のマッスルメモリー理論を的確に応用して、キューのストロークの姿勢を、即ちキューの引き取り方向や撞き出し方向を的確に修正できる、簡便な、ビリヤード用ストローク練習機を提供することを目的としている。
【課題を解決するための手段】
【０００６】
このような目的を達成するために、本発明ビリヤード用ストローク練習機は、
キューシャフトに代わるバーと、キューグリップに代わる筒状体であって、前記バー周囲に前後方向に摺動自在に被嵌された筒状体と、前記バー後端を上下に移動可能に支持する支柱と、該支柱と前記バー後端とを互いに連結する継ぎ手であって、前記バーをバー後端又はバー後端近くを中心に上下方向及び左右方向に回動自在に支柱に支持する継ぎ手とからなることを特徴としている。
【０００７】
このような構成のビリヤード用ストローク練習機においては、キューシャフトに代わるバー先端を非利き手の左手等でブリッジを作ってビリヤード台、補助台等の台上に支えると共に、バー周囲に被嵌された筒状体を利き手の右手等で掴んだ状態で、筒状体をバー周囲を後部に移動させることにより、前述のテイクバックの姿勢を取ることができる。また、バー先端を非利き手の左手等でブリッジを作って台上に支えると共に、筒状体を利き手の右手等で掴んだ状態で、筒状体をバー周囲を前部に移動させることにより、キューを撞き出す姿勢を取ることができる。即ち、バー先端を非利き手でブリッジを作って台上に支えると共に、筒状体を利き手で掴んだ状態で、筒状体を利き手でバー周囲を前後に摺動させることにより、キューのストローク練習を行うことができる。
【０００８】
また、このような構成のビリヤード用ストローク練習機においては、キューシャフトに代わるバー後端が、左右にぶれる等して動かぬように、継ぎ手を介して、支柱に安定させて支持されている。そのために、そのキューシャフトに代わるバーの方向が、バー周囲に被嵌されたキューグリップに代わる筒状体を掴む利き手に連なる利き腕の方にこじられて、自己の体に近付いた状態となるのを、確実に防ぐことができる。そして、テイクバックの姿勢を取った時に、キューシャフトに代わるバーを、真後ろではなくて、自己の体の方に引き付けてしまう癖を、確実に直すことができる。そして、前述のマッスルメモリー理論を、確実に具現化できる。
【０００９】
さらに、このような構成のビリヤード用ストローク練習機においては、キューシャフトに代わるバー後端と支柱とが、継ぎ手を介して、互いに連結されている。そして、その継ぎ手に、バーが、バー後端又はバー後端近くを中心に上下方向及び左右方向に回動自在に支柱に支持されている。そのために、キューシャフトに代わるバーを、バー後端又はバー後端近くを中心に、上下方向や左右方向に適宜角度回動させて、上下方向や左右方向に所望角度傾斜させた状態とすることができる。そして、その上下方向や左右方向に所望角度傾斜させた状態としたバー周囲を筒状体を前後に摺動させて、自己の体に無理が掛からぬ自然体に近い姿勢で、即ち実戦時のストロークの姿勢と変わらぬ姿勢で、ストロークの練習を行うことができる。そして、前述のマッスルメモリー理論を、確実に具現化できる。
【００１０】
本発明のビリヤード用ストローク練習機においては、支柱が、建物の側壁に固定される構造のものとすると、良い。
そうした場合には、建物の側壁を利用して、バー後端を支持する支柱を上下方向に向けて倒れぬように確実に支持できる。
【００１１】
なお、支柱は、床面上に置かれた脚立に支持される構造のものとしても、良い。
そうした場合は、建物の側壁が近くに存在しない床面上に、バー後端を支持する支柱を上下方向に向けて倒れぬように支持できる。
【００１２】
本発明のビリヤード用ストローク練習機においては、バー後端を上下に移動可能に支持する支柱の任意の高さ位置にバー後端を解放可能に仮止めする仮止め手段を備えると、良い。
そうした場合には、バー後端を上下に移動可能に支持する支柱の任意の高さ位置に、バー後端を、仮止め手段を用いて、上下に動かぬように解放可能に仮止めできる。そして、バーを前方に向けて適宜角度傾斜させた状態として、自己の体に無理が掛からぬ自然体に近いテイクバックの姿勢を取ったり、キューを撞き出す姿勢を、実戦時のストロークの姿勢と変わらぬ自然体に近い状態としたりできる。そして、キューを前後に移動させる際のストロークの姿勢を、実戦時の姿勢に近い所望の姿勢に確実かつ的確に矯正できる。
また、その仮止め手段により支柱に仮止めされたバー後端を解放して、バー後端を支柱に沿って上下に移動可能な状態とすることができる。そして、バー及びその周囲に被嵌された筒状体を利き腕で支持しながら、バー周囲を筒状体を前後に摺動させて、ストローク練習をすることにより、キューを支える利き腕の筋力を鍛えることができる。
【００１３】
本発明のビリヤード用ストローク練習機においては、バー先端をブリッジを作って支える非利き手を載せたり、バー先端を載せたりする補助台を備えると、良い。
そうした場合には、バー先端を載せるビリヤード台やテーブル等が存在しない状態においても、補助台に、バー先端をブリッジを作って支える非利き手を載せたり、バー先端を載せたりできる。そして、ストローク練習を円滑に行える。
【００１４】
本発明のビリヤード用ストローク練習機においては、バー中途部に、バー周囲を摺動させる前記筒状体がバー先端に一定距離以上に近付くのを防ぐストッパを備えると、良い。
そうした場合には、筒状体をバー周囲を前方に移動させて、キューの撞き出し練習を行った際に、筒状体がバー先端に近付き過ぎて、バー先端を支持する非利き手に衝突し、非利き手が負傷等するのを、確実に防ぐことができる。
【発明の効果】
【００１５】
以上説明したように、本発明のビリヤード用ストローク練習機によれば、正しい姿勢でのキューのストローク練習を、誰でもが、繰り返し容易かつ的確に行うことができる。そして、前述のマッスルメモリー理論を、確実に具現化できる。
【発明を実施するための最良の形態】
【００１６】
次に、本発明の実施の形態を図面に従い説明する。
図１ないし図３は本発明のビリヤード用ストローク練習機の好適な実施の形態を示し、図１又は図２はその使用方法説明図、図３はその継ぎ手周辺の拡大構造説明図である。以下に、このビリヤード用ストローク練習機を説明する。
【００１７】
キューは、一般に、図４に示したように、球を撞く丸棒状のキューシャフト１０の後端が、バットと呼ばれる利き手で掴むキューグリップ２０先端にねじ込まれて、それらのキューシャフト１０とキューグリップ２０とが直線状に連なった構造をしている。
図１又は図２に示したビリヤード用ストローク練習機は、キューシャフト１０に代わる丸棒状のバー１２と、キューグリップ２０に代わる円筒状の筒状体２２とを備えている。筒状体２２は、バー１２周囲に前後方向に摺動自在に被嵌されている。バー１２後端は、支柱３０に上下に移動可能に支持されている。支柱３０とバー１２後端とは、継ぎ手４０を介して互いに連結されている。
【００１８】
継ぎ手４０は、バー１２を、バー１２後端又はバー１２後端近くを中心に、上下方向及び左右方向に回動自在に支柱３０周囲に支持する構造をしている。具体的には、図３に示したように、円筒状の筒体４２が円柱状の支柱３０周囲に左右方向及び上下方向に摺動自在に被嵌されている。筒体４２の左右外側壁には、一対のアーム４４が前方に向けて水平に並べて延設されていて、その一対のアーム４４の前端間に、バー１２後端が、軸４６を介して、上下方向に回動自在に支持されている。そして、それらの筒体４２、一対のアーム４４、軸４６が、継ぎ手４０を構成している。
【００１９】
また、図１に示したビリヤード用ストローク練習機においては、支柱３０が、建物の側壁５０に取り付け器具５２、５４を介してねじ止め等されて、上下方向に向けて動かぬように固定されている。
それに対して、図２に示したビリヤード用ストローク練習機においては、支柱３０が、床面（図示せず）上に置かれた脚立６０に、上下方向に向けて倒れぬように支持されている。
なお、支柱３０は、他の手段により、上下方向に起立させて支持することも、可能である。
【００２０】
また、図１ないし図３に示したビリヤード用ストローク練習機においては、バー１２後端を上下に移動可能に支持する支柱３０の任意の高さ位置にバー１２後端を解放可能に仮止めする仮止め手段７０が備えられている。仮止め手段７０は、図３に示したように、蝶ボルト７２が筒体４２側壁に螺挿された構造をしている。そして、蝶ボルト７２を筒体４２側壁奥方にねじり込むことにより、蝶ボルト７２先端を支柱３０側壁に押し付けて、筒体４２を支柱３０周囲に動かぬように仮止めできる構造をしている。逆に、蝶ボルト７２を筒体４２側壁奥方からその前方にねじり戻すことにより、蝶ボルト７２先端を支柱３０側壁から離脱させて、支柱３０周囲に仮止めされた筒体４２を支柱３０周囲を上下方向に摺動可能なように解放できる構造をしている。
【００２１】
また、図１又は図２に示した、ビリヤード用ストローク練習機においては、バー１２先端をブリッジを作って支える非利き手１００を載せたり、バー先端１２を載せたりする補助台８０が備えられている。
なお、バー１２先端を支持する非利き手１００を載せたり、バー１２先端を載せたりする、補助台８０に代わるビリヤード台やテーブル等が存在する場合には、補助台８０は、備えずとも良い。
【００２２】
図１ないし図３に示したビリヤード用ストローク練習機は、以上のように構成されていて、このストローク練習機においては、図１又は図２に示したように、バー１２先端を非利き手１００の左手等でブリッジを作って補助台８０上又はそれに代わる台上に支えることができる。それと共に、バー１２周囲に被嵌された筒状体２２を利き手１１０の右手等で掴んだ状態で、筒状体２２をバー１２周囲を後部に移動させることにより、前述のテイクバックの姿勢を取ることができる。また、バー１２先端を非利き手１００の左手等でブリッジを作って補助台８０上に支えると共に、筒状体２２を利き手１１０の右手等で掴んだ状態で、筒状体２２をバー１２周囲を前部に移動させることにより、キューを撞き出す姿勢を取ることができる。そして、キューのストローク練習を行うことができる。
【００２３】
その際には、キューシャフト１０に代わるバー１２の方向が、バー１２周囲に被嵌されたキューグリップ２０に代わる筒状体２２を掴む利き手１１０に連なる利き腕１１２の方にこじられて、自己の体に近付いた状態となるのを、バー１２後端が継ぎ手４０を介して左右にぶれる等して動かぬように連結された支柱３０により、確実に防ぐことができる。そして、テイクバックの姿勢を取った時に、キューシャフト１０に代わるバー１２を、真後ろではなくて、自己の体の方に引き付けてしまう癖を、確実に直すことができる。
【００２４】
また、その際には、キューシャフト１０に代わるバー１２を、バー１２後端又はバー１２後端近くを中心に、上下方向や左右方向に適宜角度回動させて、上下方向や左右方向に所望角度傾斜させた状態とすることができる。そして、その上下方向や左右方向に所望角度傾斜させた状態としたバー１２周囲をキューグリップ２０に代わる筒状体２２を前後に摺動させて、自己の体に無理が掛からぬ自然体に近い姿勢で、ストロークの練習を行うことができる。
【００２５】
また、その際には、バー１２後端を上下に移動可能に支持する支柱３０の任意の高さ位置に、バー１２後端を、継ぎ手４０を介して、仮止め手段７０を用いて、上下に動かぬように解放可能に仮止めできる。そして、バー１２を前方に向けて適宜角度傾斜させた状態として、自己の体に無理が掛からぬ自然体に近いテイクバックの姿勢を取ったり、キューを撞き出す姿勢を、実戦時と変わらぬ自然体に近い状態としたりできる。そして、キューを前後に移動させる際のストロークの姿勢を、実戦時の姿勢に近い所望の姿勢に確実かつ的確に矯正できる。
さらに、その仮止め手段７０により支柱３０に仮止めされたバー１２後端を解放して、バー１２後端を支柱３０に沿って上下に移動可能な状態とすることができる。そして、バー１２及びその周囲に被嵌された筒状体２２を利き腕１１２で支持しながら、バー１２周囲を筒状体２２を前後に摺動させて、ストローク練習をすることにより、キューを支える利き腕１１２の筋力を鍛えることができる。
【００２６】
図１ないし図３に示したビリヤード用ストローク練習機においては、図１又は図２に示したように、バー１２中途部に、バー１２周囲を摺動させる筒状体２２がバー１２先端に一定距離以上に近付くのを防ぐストッパ９０を備えると良い。ストッパ９０は、太幅のゴム輪９２が、バー１２先端近くのバー１２周囲に嵌着された構造等とすると良い。そして、筒状体２２をバー１２周囲を前方に移動させて、キューの撞き出し練習を行った際に、筒状体２２がバー１２先端に近付き過ぎて、バー１２先端を支持する非利き手１００に衝突し、非利き手１００が負傷等するのを、防ぐと良い。
【００２７】
また、補助台８０前部には、図１又は図２に示したように、鏡８２を起立させて備えると良い。そして、その鏡８２に自己のストロークの姿勢を映してチェックできるようにすると良い。
【産業上の利用可能性】
【００２８】
本発明のビリヤード用ストローク練習機は、自宅等でビリヤードのストローク練習を行うのに、有効利用可能である。
【図面の簡単な説明】
【００２９】
【図１】本発明のビリヤード用ストローク練習機の使用状態説明図である。
【図２】本発明のビリヤード用ストローク練習機の使用状態説明図である。
【図３】本発明のビリヤード用ストローク練習機の継ぎ手周辺の拡大構造説明図である。
【図４】キューの正面図である。
【符号の説明】
【００３０】
１０  キューシャフト
１２  バー
２０  キューグリップ
２２  筒状体
３０  支柱
４０  継ぎ手
４２  筒体
４４  アーム
４６  軸
５０  建物の側壁
６０  脚立
７０  仮止め手段
７２  蝶ボルト
８０  補助台
８２  鏡
９０  ストッパ
１００  非利き手
１１０  利き手
１１２  利き腕
【図１】
2006034646.tif 000003
【図２】
2006034646.tif 000004
【図３】
2006034646.tif 000005
【図４】
2006034646.tif 000006